(57)【要約】【課題】電話着信又はメール着信の事実があった場合は、ユーザが通信端末装置を把持した瞬時に当該ユーザに報知することができる通信端末装置を提供する。【解決手段】本発明は、無線通信で受けた電話着信又はメール着信に対して応答操作がされなかった各着信履歴を報知する通信端末装置において、ヒステリシスを持たせた閾値に基づいて前記通信端末装置がユーザにより把持されたか否かを検出する検出手段と、前記検出手段により、前記通信端末装置がユーザにより把持されたと判定した場合に、前記着信履歴を振動により報知する報知手段と、を備える。【選択図】図１
2009225208.tif 000002
【特許請求の範囲】
【請求項１】
無線通信で受けた電話着信又はメール着信に対して応答操作がされなかった各着信履歴を報知する通信端末装置において、
ヒステリシスを持たせた閾値に基づいて前記通信端末装置がユーザにより把持されたか否かを検出する検出手段と、
前記検出手段により、前記通信端末装置がユーザにより把持されたと判定した場合に、前記着信履歴を振動により報知する報知手段と、
を備えることを特徴とする通信端末装置。
【請求項２】
請求項１に記載の通信端末装置において、
前記報知手段は、前記電話着信のみか、前記メール着信のみか、前記電話着信及び前記メール着信の両者なのかを、数種類の振動パターンにて前記ユーザに報知することを特徴とする通信端末装置。
【発明の詳細な説明】
【技術分野】
【０００１】
本発明は、通信端末装置に関し、特に電話着信又はメール着信の事実があった場合は、ユーザが通信端末装置を把持した瞬時に当該ユーザに報知することができる通信端末装置に関する。
【背景技術】
【０００２】
携帯電話装置を使用する環境において、ユーザが常に身に着けている場合であれば、電話着信又はメール着信の事実にユーザはすぐに気づきやすいが、携帯電話装置を充電している状態や机の上に置いたままの状態等の場合であれば、電話着信又はメール着信の事実を、ＬＥＤ（Light Emitting Diode）を定期的に点滅させてユーザに報知していた。
【０００３】
それらの電話着信又はメール着信の事実をユーザにいかに早く報知できるかが要求されている。
【０００４】
例えば特許文献１には、電話着信又はメール着信の事実をユーザへ音で報知し、端末装置が静状態、即ち端末装置を有するユーザが移動していない状態の場合は、バイブを止めて電流を削減することが開示されている。また、特許文献２には、端末装置が動状態にあるのか静状態にあるのかを判断する方法について開示されている。
【特許文献１】特開２００２‐３４４５６７号公報
【特許文献２】特開２００６‐３０３５６５号公報
【発明の開示】
【発明が解決しようとする課題】
【０００５】
しかしながら、従来の技術では、携帯電話装置を使用するユーザが移動していない場合や、携帯電話装置を机の上等の置いたままの場合、携帯電話装置を充電している場合等、携帯電話装置が静止状態となっている場合であって、電話着信又はメール着信の事実があった場合において、ＬＥＤの点滅に対してＬＥＤの位置によってはユーザが気づかないという問題点があった。また、バイブによる振動を与えて報知していないため、ユーザが気づかないという問題点もあった。また、携帯端末装置が静状態にあるのか、静状態にあるのかを判断する方法として、動状態と静状態の狭間にて制御のばらつきが起きる問題点があった。
【０００６】
そこで、本発明は、上記問題点に鑑みて為されたもので、その目的の一例は、電話着信又はメール着信の事実があった場合は、ユーザが通信端末装置を把持した瞬時に当該ユーザに報知することができる通信端末装置を提供することである。
【課題を解決するための手段】
【０００７】
上記の課題を解決するために、請求項１に記載の発明は、無線通信で受けた電話着信又はメール着信に対して応答操作がされなかった各着信履歴を報知する通信端末装置において、ヒステリシスを持たせた閾値に基づいて前記通信端末装置がユーザにより把持されたか否かを検出する検出手段と、前記検出手段により、前記通信端末装置がユーザにより把持されたと判定した場合に、前記着信履歴を振動により報知する報知手段と、を備えることを特徴とする。
【０００８】
上記の課題を解決するために、請求項２に記載の発明は、請求項１に記載の通信端末装置において、前記報知手段は、前記電話着信のみか、前記メール着信のみか、前記電話着信及び前記メール着信の両者なのかを、数種類の振動パターンにて前記ユーザに報知することを特徴とする。
【発明の効果】
【０００９】
本発明によれば、ユーザが移動する場合には必ず携帯電話装置を手に持ってからかばん等に入れる動作をするため、電話着信又はメール着信の事実があった場合において携帯電話装置を手に持った瞬時に加速度センサにて携帯電話装置が静状態から動状態に移行したことを検知することができ、バイブによる振動にてユーザに報知することにより、着実にユーザに知らせることができる。
【発明を実施するための最良の形態】
【００１０】
次に、本発明に好適な実施の形態について、図面に基づいて説明する。
【００１１】
本発明の第１実施形態に係る携帯電話装置の概略構成及び機能について、図１及び２を用いて説明する。
【００１２】
図１は、第１実施形態に係る携帯電話装置の概略構成を示すブロック図であり、図２は、加速度センサとバイブとの位置関係を示す図である。
【００１３】
図１に示すように、第１実施形態に係る携帯電話装置ＭＰ（通信端末装置の一例）は、基地局との電波送受信により移動体通信網に接続して、他の携帯電話装置やネットワークに接続されたサーバ等との通信を制御する無線部１０と、例えば、マイクロホン、Ｄ／Ａ変換器等を有し、ユーザの発話音声等をマイクロホンから入力すると当該音声に対応した音声データを生成して無線部１０に出力することや、例えば、スピーカ、増幅回路等を有し、無線部１０から供給された音声データに対応する音声を生成してスピーカにより拡声する音声処理部１４と、を備え、他の携帯電話機との通話やサーバ等とのデータ通信が可能となっている。かかる通信方式には、例えば、ＰＤＣ（Personal Digital Cellular）方式や、ＩＭＴ（International Mobile Telecommunication）方式、ＰＨＳ（Personal Handy phone System）方式等が採用されている。
【００１４】
また、携帯電話装置ＭＰは、文字や画像等の情報を表示する表示部１５（例えば、液晶ディスプレイ（ＬＣＤ（Liquid Crystal Display））等）と、ユーザからの操作指示を受け付け、その指示内容を指示信号として制御部１８に出力するキー操作部１６（例えば、ダイヤルボタン、カーソルボタン等）と、各種プログラム（例えば、オペレーティングシステム、Ｗｅｂブラウザプログラム等）及びデータ等を記憶するメモリ部１２（例えば、フラッシュメモリ等）と、電池部１７と、携帯電話装置ＭＰが静止状態にあるのか、動状態にあるのかを検知する加速度センサ１９を有するセンサ部１１（検出手段の一例）と、携帯電話装置ＭＰに内蔵されたバイブレータ（報知手段の一例、以下、バイブ１３と称する。）と、を備えている。
【００１５】
更にまた、携帯電話装置ＭＰは、ＣＰＵ（Central Processing Unit）、ＲＡＭ（Random Access Memory）、ＲＯＭ（Read-Only Memory）等を備える制御部１８を備え、制御部１８と各部とは、システムバスを介して相互に接続されている。
【００１６】
また、図２に示すように、加速度センサ１９がバイブ１３の振動の影響を受けないような位置関係に配置する構成となっている。
【００１７】
次に、第１実施形態に係る携帯電話装置ＭＰのユーザが手に持った瞬時に、電話着信又はメール着信の事実をユーザに報知することができる携帯電話装置ＭＰの動作について、図３を参照して説明する。
【００１８】
携帯電話装置ＭＰ内のセンサ部１１に設けた加速度センサ１９が動作を開始して（ステップＳ００１）、携帯電話装置ＭＰが静状態にあるか又は動状態にあるかを判定する（ステップＳ００２）。
【００１９】
センサ部１１は、携帯電話装置ＭＰがある一定時間以上動かないで止まっている、即ち静状態であると判定した場合（ステップＳ１０２；ＹＥＳ）に、次に電話着信又はメール着信の事実があるか否かを判定する（ステップＳ００３）。一方、携帯電話装置ＭＰがある一定時間静状態にないと判定した場合（ステップＳ１０２；ＹＥＳ）に、ステップＳ００１に戻る。
【００２０】
電話着信又はメール着信の事実がある（ステップＳ００３：ＹＥＳ）が、ユーザは気づかない場合、各着信履歴がメモリ部１２に格納される。一方、電話着信又はメール着信の事実がない場合（ステップＳ００３：ＮＯ）は、ステップＳ００１に戻る。
【００２１】
各着信履歴がメモリ部１２に格納される状態において、動状態となる（ステップＳ００４）。すなわち、ユーザが手もち動状態となる。
【００２２】
次にセンサ部の加速度センサ１９は携帯電話装置が動状態にあるか否かを検知する（ステップＳ００５）。加速度センサ１９が動状態を感知した場合（ステップＳ００５：ＹＥＳ）には、ステップ００６に移行する。一方、加速度センサ１９が動状態を感知しない場合（ステップＳ００５：ＮＯ）には、ステップＳ００４に戻る。
【００２３】
次に、加速度センサ１９が動状態を感知した瞬間、バイブ１３が一定期間動き出す（ステップＳ００６）。
【００２４】
バイブ１３の振動により電話着信又はメール着信の事実を報知する（ステップＳ００７）。
【００２５】
ユーザは把持しているので、バイブ１３による振動に気づき、電話着信又はメール着信の事実を認識することができる。
【００２６】
ここで、携帯電話装置ＭＰが静状態であるのか、動状態であるのかについての判定に関しては、図４を参照して説明する。
【００２７】
図４に示すように、まず携帯電話装置ＭＰの静状態から動状態への判定に関しては、バイブ１３等の微振動を動状態であると誤検知しないような閾値となっており、大きな動きがあった場合に動状態と判定する。一方、携帯電話装置ＭＰの動状態から静状態への判定に関しては、上記と同じ閾値を使用しないで、ヒステリシスを持たし、かつ一定時間その閾値以下を保つことにより、静状態であると判定する。以上により、静状態と動状態との切り替え狭間で静状態と動状態の判定ばたつきを抑えることができる。
【００２８】
以上説明したように、第１実施形態によれば、ユーザが移動する場合、必ず携帯電話装置ＭＰを手に持ってからポケットや鞄等に入れる動作をするため、電話着信又はメール着信の事実があった場合には、加速度センサ１９にて携帯電話装置ＭＰが静状態から動状態に移行したことを検知することができるため、携帯電話装置ＭＰを把持した瞬時にバイブ１３による振動にて報知することで着実にユーザに知らせることができる。
【００２９】
次に、本発明の第２実施形態に係る携帯電話装置について、図面を用いて説明する。
【００３０】
第２実施形態の構成に関しては、上述の第１実施形態と同じであるため説明は省略する。
【００３１】
第２実施形態の携帯電話装置の動作について、図５を参照して説明する。
【００３２】
図５におけるステップＳ００１〜００５は、図３におけるステップＳ００１〜００５と同じである。
【００３３】
図５において、センサ１１は、電話着信の事実のみか、メール着信の事実のみか、電話着信及びメール着信の事実かについて判定する（ステップＳ００６ａ）。
【００３４】
電話着信の事実のみがあった場合（ステップＳ００６ａ：ＹＥＳ）は、予め設定しておいたパターンＡでバイブ１３が一定期間動き出だす（ステップＳ００６ｂ）。また、メール着信の事実のみがあった場合（ステップＳ００６ａ：ＹＥＳ）は、予め設定しておいたパターンＢでバイブ１３が一定期間動き出だす（ステップＳ００６ｂ）。また、電話着信及びメール着信の両方の事実があった場合（ステップＳ００６ａ：ＹＥＳ）は、予め設定しておいたパターンＣでバイブ１３が一定期間動き出だす（ステップＳ００６ｂ）。
【００３５】
バイブ１３の振動のパターンにより、電話着信の事実のみであるのか、メール着信の事実のみであるのか、又は電話着信及びメール着信の両方の事実であるのかを報知する（ステップＳ００７）。
【００３６】
以上説明したように、第２実施形態によれば、ユーザは把持しているので、バイブ１３の振動に気づき、バイブ１３のパターンにより、電話着信の事実のみであるのか、メール着信の事実のみであるのか、又は電話着信及びメール着信の両方の事実であるのかを確認することができる。
【図面の簡単な説明】
【００３７】
【図１】第１実施形態に係る携帯電話装置の概略構成の一例を示すブロック図である。
【図２】第１実施形態に係る加速度センサとバイブとの位置関係を示す図である。
【図３】第１実施形態に係る携帯電話装置のユーザが手に持った瞬時に、電話着信又はメール着信をユーザに報知することができる携帯電話装置の動作の一例を示すフローチャーチである。
【図４】第１実施形態に係る携帯電話装置の静状態と動状態の判定に関して説明するための図である。
【図５】第２実施形態に係る携帯電話装置の動作の一例を示すフローチャートである。
【符号の説明】
【００３８】
ＭＰ  携帯電話装置
１０  無線部
１１  センサ部
１２  メモリ部
１３  バイブ
１４  音声処理部
１５  表示部
１６  キー操作部
１７  電池部
１８  制御部
１９  加速センサ部
【図１】
2009225208.tif 000003
【図２】
2009225208.tif 000004
【図３】
2009225208.tif 000005
【図４】
2009225208.tif 000006
【図５】
2009225208.tif 000007